(57)【要約】【課題】左目用及び右目用の偏光板を有する眼鏡を着用することなく立体表示画面を見ることができるようにすることを目的とする。【解決手段】左目用及び右目用の偏光特性の異なった映像画面が得られる立体表示画面２に対向した所定位置に仕切り板１０を設け、この仕切り板１０に左目用及び右目用の偏光板１１Ｌ及び１１Ｒを配して覗き窓１１とし、この覗き窓１１を通してこの立体表示画面２を見るようにしたものである。【選択図】図１
2007232951.tif 000002
【特許請求の範囲】
【請求項１】
左目用及び右目用の偏光特性の異なった映像画面が得られる立体表示画面に対向した所定位置に仕切り板を設け、該仕切り板に左目用及び右目用の偏光板を配して覗き窓とし、  前記覗き窓を通して前記立体表示画面を見るようにしたことを特徴とする立体表示装置。
【請求項２】
請求項１記載の立体表示装置において、
前記覗き窓は左目用及び右目用偏光板の対を垂直方向のインライン状に複数個設けたことを特徴とする立体表示装置。
【請求項３】
請求項１記載の立体表示装置において、
前記覗き窓は左目用及び右目用偏光板の対を市松模様に複数個設けたことを特徴とする立体表示装置。
【請求項４】
請求項２又は３記載の立体表示装置において、
前記左目用及び右目用の偏光板の対と対との水平方向の間隔を両目間間隔より大とするようにしたことを特徴とする立体表示装置。
【請求項５】
請求項２又は３記載の立体表示装置において、
前記仕切り板の所定位置に前記左目用及び右目用の偏光板の対の覗き窓の近傍に左目用又は右目用の偏光板の覗き窓を設けたことを特徴とする立体表示装置。
【発明の詳細な説明】
【技術分野】
【０００１】
本発明は、例えば展示場、博物館等で表示、説明等するのに使用して好適な人間の両目の視差を利用した立体表示装置に関する。
【背景技術】
【０００２】
従来、人間の両目の視差を利用した立体表示装置として、立体表示画面に左目用及び右目用の偏光特性の異なった左目用及び右目用映像画面を表示し、左目用及び右目用の偏光板を有する眼鏡を着用して観察し、立体画像を得るようにしたものが提案されている（特許文献１、特許文献２参照）。
【特許文献１】特開平１０−１４８７９６号公報
【特許文献２】特開２００５−２５７９０１号公報
【発明の開示】
【発明が解決しようとする課題】
【０００３】
然しながら、上述立体表示装置においては、左目用及び右目用の偏光板を有する眼鏡を着用する必要があり、この立体表示装置を展示場、博物館等で使用し、見学者に表示、説明等する場合には、この左目用及び右目用の偏光板を有する眼鏡を多数用意し、配布、回収する必要がある。
【０００４】
この左目用及び右目用の偏光板を有する眼鏡を配布、回収するようにしたときには、配布、回収する人員が必要である不都合があると共にこの眼鏡を配布、回収する入退場時に混雑する不都合があった。
【０００５】
更に、この左目用及び右目用の偏光板を有する眼鏡を多数用意する必要があると共に定期的に洗浄する必要があり、維持費等費用が掛かる不都合があった。
【０００６】
本発明は、斯かる点に鑑み、左目用及び右目用の偏光板を有する眼鏡を着用することなく立体表示画面を見ることができるようにすることを目的とする。
【課題を解決するための手段】
【０００７】
本発明立体表示装置は、左目用及び右目用の偏光特性の異なった映像画面が得られる立体表示画面に対向した所定位置に仕切り板を設け、この仕切り板に左目用及び右目用の偏光板を配して覗き窓とし、この覗き窓を通してこの立体表示画面を見るようにしたものである。
【発明の効果】
【０００８】
本発明によれば、立体表示画面に対向した所定位置に仕切り板を設け、この仕切り板に左目用及び右目用の偏光板を配して覗き窓とし、この覗き窓を通してこの立体表示画面を見るようにしたので、左目用及び右目用の偏光板を有する眼鏡を着用することなく立体表示画面を見ることができる。
【０００９】
本発明によれば、左目用及び右目用の偏光板を有する眼鏡を配布、回収しないので、この眼鏡を配布、回収する人員が要らないと共にこの眼鏡を配布、回収する必要がないので入退の流れがスムーズになる。
【００１０】
また、左目用及び右目用の偏光板を配した仕切り板は、眼鏡のように手で持つことがないので、汚れ難く、維持が容易である。
【発明を実施するための最良の形態】
【００１１】
以下、図１、図２、図３を参照して、本発明立体表示装置を実施するための最良の形態の例につき説明する。
【００１２】
図１において、１は周知の立体映像投射装置であり、２は、この立体映像投射装置１よりの左目用及び右目用の偏光特性の異なった映像画面が投写される例えば８０インチのスクリーンを示す。
【００１３】
この立体映像投射装置１は、図３に示す如く、左目用液晶プロジェクタ１Ｓと右目用液晶プロジェクタ１Ｐとを水平方向に夫々光軸５が互いに平行に成るように上下に配し、右目用液晶プロジェクタ１Ｐの映像をハーフミラー３を透過してスクリーン２に投射する。
【００１４】
一方、左目用液晶プロジェクタ１Ｓの映像は、表面鏡６とハーフミラー３とで反射されてスクリーン２に投射する如くする。ここで、表面鏡６とハーフミラー３とは互いに平行で、且つ右目用液晶プロジェクタ１Ｐの光軸及び左目用液晶プロジェクタ１Ｓの光軸に４５度をなすように配置する。
【００１５】
更に、左目用液晶プロジェクタ１Ｓの投射レンズには、出射光がＳ波となるよう偏光面を回転するフィルタ４Ｓを装着しており、また、右目用液晶プロジェクタ１Ｐの投射レンズには、出射光がＰ波となるよう偏光面を回転するフィルタ４Ｐを装着する。
【００１６】
この場合、左目用液晶プロジェクタ１Ｓと右目用液晶プロジェクタ１Ｐとの光軸を一致させ、また夫々の光路長も等しくすることで、左目用映像結像面（左目用映像画面）と右目用映像結像面（右目用映像画面）とがスクリーン２上の同一平面内に納まり、左右目に視差角に依存する画面の差を残し画面が重なる。例えば図１に示す如く、スクリーン２上にこの立体映像投射装置１よりの立体表示画面を得ることができる。
【００１７】
本例においては、図１、図２に示す如く、この立体表示画面の得られるスクリーン２に対向した所定位置にこのスクリーン２上の左目用映像画面及び右目用映像画面を夫々見ることができる左目用の偏光板１１Ｌ及び右目用の偏光板１１Ｒの対が垂直方向のインライン状に複数個配し、複数個の覗き窓１１、１１、１１…とした板状の壁（仕切り板）１０を設ける。
【００１８】
この場合、この左目用の偏光板１１Ｌ及び右目用の偏光板１１Ｒは、周知のものを用い、また、この板状の壁（仕切り板）１０の内側（スクリーン２側）は、黒色とするを可とする。
【００１９】
本例においては、この左目用の偏光板１１Ｌ及び右目用の偏光板１１Ｒの対と対との水平方向の間隔Ｗを人間の両目の間隔例えば６５ｍｍ以上とする。この場合、人の左右両目が同時に異なる対の偏光板１１Ｌ、１１Ｒに対応することがない。
【００２０】
本例においては、この板状の壁（仕切り板）１０の左目用の偏光板１１Ｌ及び右目用の偏光板１１Ｒの対が垂直方向のインライン状に複数個配された、複数個の覗き窓１１、１１、１１…を設けた板状の壁（仕切り板）１０の下部の近傍の所定位置に左目用の偏光板１１Ｌ又は右目用の偏光板１１Ｒだけの覗き窓１２を設ける。
【００２１】
本例は、上述の如く構成されているので、観察者が観察者の左目及び右目を夫々板状の壁（仕切り板）１０の左目用の偏光板１１Ｌ及び右目用の偏光板１１Ｒに近ずけ、これを通してスクリーン２を見たときには、左目でスクリーン２上の左目用映像画面が見え、右目でスクリーン２上の右目用映像画面が見え、観察者の両目の視差角で立体感のある画像を見ることができる。
【００２２】
また、この観察者が、この板状の壁（仕切り板）１０の下部の近傍の所定位置に左目用の偏光板１１Ｌ又は右目用の偏光板１１Ｒだけの覗き窓１２より、このスクリーン２を見たときには、２次元の左目用映像画面又は右目用映像画面を鮮明に見ることができる。
【００２３】
また、観察者が、比較的遠くより、この板状の壁（仕切り板）１０の複数個の覗き窓１１、１１、１１…を通してこのスクリーン２を見たときには、左目用の偏光板１１Ｌ又は右目用の偏光板１１Ｒを通してこのスクリーン２を見ることとなるので、２次元の鮮明な画像が見える。因みに左目用の偏光板１１Ｌ及び右目用の偏光板１１Ｒを通さないで、このスクリーン２を見たときには、左目用映像画面及び右目用映像画面が重畳された画面であり、極めて見にくい画面である。
【００２４】
上述例によれば、スクリーン２上の立体表示画面に対向した所定位置に板状の壁（仕切り板）１０を設け、この板状の壁（仕切り板）１０に左目用及び右目用の偏光板１１Ｌ及び１１Ｒを配して覗き窓１１とし、この覗き窓１１を通してこの立体表示画面を見るようにしたので、左目用及び右目用の偏光板を有する眼鏡を着用することなく立体表示画面を見ることができる。
【００２５】
上述例によれば、左目用及び右目用の偏光板を有する眼鏡を配布、回収しないので、この眼鏡を配布、回収する人員が要らないと共にこの眼鏡を配布、回収する必要がないので入退の流れがスムーズになる。
【００２６】
また、上述例によれば、左目用及び右目用の偏光板１１Ｌ及び１１Ｒを配した板状の壁（仕切り板）１０は、眼鏡のように手で持つことがないので、汚れ難く、維持が容易である。
【００２７】
図４は、本発明を実施するための最良の形態の他の例を示す。この図４において、２０は立体カラーモニタを示し、この立体カラーモニタ２０は、ハーフミラー２１の上端部を観察窓２２の上部手前に固定すると共にこのハーフミラー２１の下端部を、この観察窓２２の下部奥に固定し、このハーフミラー２１が水平面に対し前面方向に向かって４５度面を形成する如くする。
【００２８】
このハーフミラー２１の観察窓２２側とは、反対側の後方に水平面に対して画面が垂直となる左目用画面を表示する偏光方向が左４５度の液晶表示装置２３Ｌを固定する。この場合、この液晶表示装置２３Ｌの上側を観察窓２２の上側、この液晶表示装置２３Ｌの下側をこの観察窓２２の下側に対応する如くする。
【００２９】
このハーフミラー２１の下側に水平面に対して画面が水平となる右目用画面を表示する偏光方向が左４５度の液晶表示装置２３Ｒを固定する。この場合、この液晶表示装置２３Ｒの上側が手前側、この液晶表示装置２３Ｒの下側が奥側に位置する如くする。
【００３０】
また、観察窓２２における視軸を左目用画面を表示する液晶表示装置２３Ｌの画面の中心に垂直になるようにすると共に右目用画面を表示する液晶表示装置２３Ｒの画面の中心がこの視軸とこのハーフミラー２１で重なるようにしたものである。
【００３１】
この立体カラーモニタ２０においては、左目位置で被写体を撮像する左目用カメラよりの左目用の映像信号を左目用の液晶表示装置２３Ｌに供給し、この左目用の映像信号を左目用の液晶表示装置２３Ｌで表示する。
【００３２】
一方、右目位置で被写体を撮像する右目用カメラよりの右目用の映像信号を走査方向反転回路を介して右目用の液晶表示装置２３Ｒに供給し、この走査方向反転回路で、その映像の左側と右側とが反転するように処理し、この右目用の映像信号を右目用の液晶表示装置２３Ｒで左右が反転した映像を表示する。
【００３３】
この場合、左目用の液晶表示装置２３Ｌよりの映像光は左４５度直線偏光であり、ハーフミラー２１を左４５度の状態で通過し、また右目用の液晶表示装置２３Ｒよりの映像光は左４５度直線偏光であるがハーフミラー２１で反射され右４５度直線偏光となる。
【００３４】
本例においては、図４に示す如く、この立体カラーモニタ２０の立体表示画像が得られる観察窓２２に対応する前面側の所定位置に観察窓２２の左目用映像画面及び右目用映像画面を夫々見ることができる左目用の偏光板１１Ｌ及び右目用の偏光板１１Ｒの対が垂直方向のインライン状に複数個配し、複数個の覗き窓１１、１１、１１…とした仕切り板１０を設ける。
【００３５】
この仕切り板１０は、例えば図５及び図６に示す如く、複数の対の左目用の偏光板１１Ｌ及び右目用の偏光板１１Ｒを複数の対のインライン状の窓を有する黒色の合成樹脂より成る２つの枠体３０ａ及び３０ｂに挟んで固定し、その前面側に表面及び裏面に外光の透過率を上げて表面反射を減らすＡＲコートした透明アクリル板３１を設けたものである。
【００３６】
本例においては、この左目用の偏光板１１Ｌ及び右目用の偏光板１１Ｒの対と対との水平方向の間隔Ｗを人間の両目の間隔例えば６５ｍｍ以上とする。この場合、人の左右両目が同時に異なる対の偏光板１１Ｌ、１１Ｒに対応することがない。
【００３７】
本例は、上述の如く構成されているので、観察者が観察者の左目及び右目を夫々仕切り板１０の左目用の偏光板１１Ｌ及び右目用の偏光板１１Ｒに近ずけ、これを通して観察窓２２を見たときには、左目で左目用の液晶表示装置２３Ｌより到来する左４５度直線偏光の映像光が見え、右目で右目用の液晶表示装置２３Ｒより到来する右４５度直線偏光の映像光が見え、両目の視差で観察者は、立体感を得ることができる。
【００３８】
斯かる、図４例においても、上述図１例同様の作用効果が得られることは容易に理解できよう。
【００３９】
尚、上述例では、左目用の偏光板１１Ｌ及び右目用の偏光板１１Ｒの対が垂直方向のインライン状に複数個配し、複数個の覗き窓１１、１１、１１…とした仕切り板１０を設けた例に付き述べたが、この左目用の偏光板１１Ｌ及び右目用の偏光板１１Ｒの対を図７に示す如く、市松模様に複数個設けると共にこの対と対との水平方向の間隔を人間の両目の間隔よりも大きな間隔で設けるようにしても良い。
【００４０】
また、上述例では、左目用の偏光板１１Ｌ及び右目用の偏光板１１Ｒの対と対との水平方向の間隔Ｗを人間の両目の間隔以上に離す如く述べたが、必ずしも、この左目用の偏光板１１Ｌ及び右目用の偏光板１１Ｒの対と対との水平方向の間隔Ｗを人間の両目の間隔以上に離す必要はない。この場合、左目用の偏光板１１Ｌ及び右目用の偏光板１１Ｒ間に中心マークを付すを可とする。このとき、左目用の偏光板１１Ｌ及び右目用の偏光板１１Ｒの対の密度を上げた場合には、遠方から、この立体表示画面を見たときの２次元画像に対応する開口率が向上する。
【００４１】
また、本発明は上述例に限ることなく、本発明の要旨を逸脱することなく、その他種々の構成が採り得ることは勿論である。
【図面の簡単な説明】
【００４２】
【図１】本発明立体表示装置を実施するための最良の形態の例を示す構成図である。
【図２】本発明の要部の例を示す一部切欠き平面図である。
【図３】立体映像投写装置の例を示す構成図である。
【図４】本発明立体表示装置を実施するための最良の形態の他の例を示す構成図である。
【図５】図４の要部の例の一部拡大断面図である。
【図６】図４の要部の例の分解斜視図である。
【図７】本発明の要部の他の例を示す平面図である。
【符号の説明】
【００４３】
１…立体映像投写装置、２…スクリーン、１０…仕切り板（板状壁）、１１、１２…窓、１１Ｌ…左目用の偏光板、１１Ｒ…右目用の偏光板、２０…立体カラーモニタ、２１…ハーフミラー、２２…観察窓、２３Ｌ…左目用の液晶表示装置、２３Ｒ…右目用の液晶表示装置
【図１】
2007232951.tif 000003
【図２】
2007232951.tif 000004
【図３】
2007232951.tif 000005
【図４】
2007232951.tif 000006
【図５】
2007232951.tif 000007
【図６】
2007232951.tif 000008
【図７】
2007232951.tif 000009